(57)【要約】  較正装置（ＣＤ）は、制御可能電源手段（ＰＳＭ）によって印加される制御電圧の値に応じて周波数帯域をフィルタリングするための手段（ＦＭ）を備えるＲＦ帯域通過フィルタ（ＲＦＦ）のために設けられている。この装置（ＣＤ）は、ｉ）選択された周波数の試験信号をフィルタ手段（ＦＭ）に対して供給するための発生器（ＧＭ）と、ｉｉ）フィルタ手段の出力における試験信号の出力電力値を測定するように構成されている手段（ＭＭ）と、ｉｉｉ）ａ）出力電力値が増加して最大値に達しその後に減少し始める限り、連続的に増加する制御電圧を印加するように電源手段（ＰＳＭ）に命令し、その後、ｂ）最初の減少出力電力値及び対応する制御電圧を記憶し、その後、ｃ）出力電力値が増加して前記最大値に達しその後に最後の出力電力値まで減少し始める限り、連続的に減少する制御電圧を印加するように電源手段（ＰＳＭ）に命令し、その後、ｄ）記憶された制御電圧と最後の出力電力値に対応する最後に印加された制御電圧とから、選択された周波数におけるフィルタ出力電力の最大値に対応する制御電圧を決定するように構成されている制御手段（ＣＭ）と、を備えている。
2009514297.tif 000002
【特許請求の範囲】
【請求項１】
印加される制御電圧の値に応じて周波数帯域をフィルタリングするように構成されている無線周波数帯域通過フィルタ（ＲＦＦ）のための較正方法において、選択された入力電力及び選択された周波数（ＦＬＯ）の試験信号を前記フィルタ（ＲＦＦ）に対して供給する第１のステップと、値が第１の態様で変化する連続制御電圧（Ｖｉ）を前記フィルタ（ＲＦＦ）に対して印加するとともに、前記フィルタ（ＲＦＦ）の出力における前記試験信号の対応する出力電力値（Ｐｏｕｔ）を、当該出力電力値が増加して最大値に達しその後に減少し始める限りにおいて測定し、その後、最初の減少出力電力値（ＰΦ１）及び対応する制御電圧（Ｖｕｐ）を記憶する第２のステップと、値が前記第１の態様と反対の第２の態様で変化する連続制御電圧（Ｖｉ）を前記フィルタ（ＲＦＦ）に対して印加するとともに、対応する試験信号出力電力値（Ｐｏｕｔ）を、当該出力電力値が増加して前記最大値に達しその後に最後の出力電力値まで減少し始める限りにおいて測定し、その後、記憶された制御電圧（Ｖｕｐ）と前記最後の出力電力値に対応する最後に印加された制御電圧（Ｖｄｏ）とから、前記試験信号の選択された周波数（ＦＬＯ）におけるフィルタ出力電力の前記最大値に対応する制御電圧（ＶＬＯ）を決定する第３のステップと、を備えることを特徴とする較正方法。
【請求項２】
前記第１の態様は、制御電圧値（Ｖｉ）を連続して増加させることに対応し、前記第２の態様は、制御電圧値（Ｖｉ）を連続的に減少させることに対応していることを特徴とする請求項１に記載の較正方法。
【請求項３】
前記第１の態様は、制御電圧値（Ｖｉ）を連続して減少させることに対応し、前記第２の態様は、制御電圧値（Ｖｉ）を連続的に増加させることに対応していることを特徴とする請求項１に記載の較正方法。
【請求項４】
前記第２のステップの間に、出力電力変化を表す変数の符号の反転を検出することにより出力電力値の減少の始まりを決定し、その後、この符号反転に対応する最初の減少出力電力値（ＰΦ１）及び対応する制御電圧値（Ｖｕｐ）を記憶することを特徴とする請求項１乃至３のいずれか一項に記載の較正方法。
【請求項５】
前記第２のステップの間に、各測定後に、先の測定された出力電力値（ＰＳ１）を現在の出力電力値（ＰＳ２）から差し引くことにより前記変数を決定し、その減算結果がゼロよりも小さいとき、従って前記符号反転を示すときに、新たな電圧を印加することを停止し、その後、現在の測定された出力電力値（ＰΦ１）及び対応する制御電圧（Ｖｕｐ）を記憶することを特徴とする請求項４に記載の較正方法。
【請求項６】
前記第３のステップの間に、最後に印加された対応する出力電力値が記憶された最初の減少出力電力値（ＰΦ１）以下であるときに制御電圧の印加を停止することを特徴とする請求項１乃至５のいずれか一項に記載の較正方法。
【請求項７】
前記第３のステップの間に、前記試験信号の選択された周波数（ＦＬＯ）におけるフィルタ出力電力の最大値に対応する制御電圧（ＶＬＯ）が、記憶された制御電圧（Ｖｕｐ）を最後に印加された制御電圧（Ｖｄｏ）に対して加えるとともにこの加算結果を２で割ることにより決定されることを特徴とする請求項１乃至６のいずれか一項に記載の較正方法。
【請求項８】
前記第３のステップの間に、記憶された制御電圧（Ｖｕｐ）から始めることにより、連続制御電圧（Ｖｉ）を前記フィルタ（ＲＦＦ）に対して印加することを特徴とする請求項１乃至７のいずれか一項に記載の較正方法。
【請求項９】
印加される制御電圧（Ｖｉ）の値に応じて周波数帯域をフィルタリングするためのフィルタ手段（ＦＭ）と、前記フィルタ手段（ＦＭ）に対して制御電圧を印加するための制御可能電源手段（ＰＳＭ）と、を備える無線周波数帯域通過フィルタ（ＲＦＦ）のための較正装置（ＣＤ）において、
ｉ）選択された入力電力及び選択された周波数（ＦＬＯ）の試験信号を前記フィルタ手段（ＦＭ）に対して供給するように構成されている発生器（ＧＭ）と、
ｉｉ）前記フィルタ手段（ＦＭ）の出力における前記試験信号の出力電力値（Ｖｉ）を測定するように構成されている測定手段（ＭＭ）と、
ｉｉｉ）ａ）出力電力値が増加して最大値に達しその後に減少し始める限り、値が第１の態様で変化する連続制御電圧（Ｖｉ）を前記フィルタ手段（ＦＭ）に対して印加するように前記電源手段（ＰＳＭ）に命令し、その後、
ｂ）最初の減少出力電力値（ＰΦ１）及び対応する制御電圧（Ｖｕｐ）を記憶し、その後、
ｃ）出力電力値が増加して最大値に達しその後に最後の出力電力値まで減少し始める限り、値が前記第１の態様と反対の第２の態様で変化する連続制御電圧（Ｖｉ）を前記フィルタ手段（ＦＭ）に対して印加するように前記電源手段（ＰＳＭ）に命令し、その後、
ｄ）記憶された制御電圧（Ｖｕｐ）と前記最後の出力電力値に対応する最後に印加された制御電圧（Ｖｄｏ）とから、前記試験信号の選択された周波数（ＦＬＯ）におけるフィルタ出力電力の最大値に対応する制御電圧（ＶＬＯ）を決定する、
ように構成されている制御手段（ＣＭ）と、
を備えることを特徴とする較正装置（ＣＤ）。
【請求項１０】
前記第１の態様は、制御電圧値（Ｖｉ）を連続して増加させることに対応し、前記第２の態様は、制御電圧値（Ｖｉ）を連続的に減少させることに対応していることを特徴とする請求項９に記載の較正装置。
【請求項１１】
前記第１の態様は、制御電圧値（Ｖｉ）を連続して減少させることに対応し、前記第２の態様は、制御電圧値（Ｖｉ）を連続的に増加させることに対応していることを特徴とする請求項９に記載の較正装置。
【請求項１２】
前記制御手段（ＣＭ）は、出力電力変化を表す変数の符号の反転を検出することにより出力電力値の減少の始まりを決定し、その後、この符号反転に対応する最初の減少出力電力値（ＰΦ１）及び対応する制御電圧（Ｖｕｐ）を記憶するように構成されていることを特徴とする請求項９乃至１１のいずれか一項に記載の較正装置。
【請求項１３】
前記制御手段（ＣＭ）は、各測定後に、先の出力電力値（ＰＳ１）を現在の出力電力値（ＰＳ２）から差し引くことにより前記変数を決定し、その減算結果がゼロよりも小さいとき、従って前記符号反転を示すときに、新たな電圧の印加を停止するように前記電源手段（ＰＳＭ）に命令し、その後、現在の出力電力値（ＰΦ１）及び対応する制御電圧（Ｖｕｐ）を記憶するように構成されていることを特徴とする請求項１２に記載の較正装置。
【請求項１４】
前記制御手段（ＣＭ）は、記憶された制御電圧（Ｖｕｐ）を最後に印加された制御電圧（Ｖｄｏ）に対して加えるとともにこの加算結果を２で割ることにより、前記試験信号の選択された周波数（ＦＬＯ）におけるフィルタ出力電力の最大値に対応する前記制御電圧（ＶＬＯ）を決定するように構成されていることを特徴とする請求項９乃至１３のいずれか一項に記載の較正装置。
【請求項１５】
前記制御手段（ＣＭ）は、最後に印加された制御電圧に対応する最後に印加された出力電力値が記憶された最初の減少出力電力値（ＰΦ１）以下であるときに前記フィルタ手段（ＦＭ）に対する制御電圧の印加を停止するように前記電源手段（ＰＳＭ）に命令することを決定するように構成されていることを特徴とする請求項９乃至１４のいずれか一項に記載の較正装置。
【請求項１６】
前記制御手段（ＣＭ）は、減少値の最後の検出のために、記憶された制御電圧（Ｖｕｐ）から始めることにより連続制御電圧を前記フィルタ手段（ＦＭ）に対して印加するように前記電源手段（ＰＳ）に命令するように構成されていることを特徴とする請求項９乃至１５のいずれか一項に記載の較正装置。
【請求項１７】
前記制御手段（ＣＭ）が前記最初の減少出力電力値（ＰΦ１）をアナログ形態で記憶するように構成されている第１のアナログメモリ（Ｍ１）を備えていることを特徴とする請求項９乃至１６のいずれか一項に記載の較正装置。
【請求項１８】
前記制御手段（ＣＭ）が前記最初の減少出力電力値（ＰΦ１）に対応する前記制御電圧（Ｖｕｐ）をデジタル形態で記憶するように構成されている第２のデジタルメモリ（Ｍ２）を備えていることを特徴とする請求項９乃至１７のいずれか一項に記載の較正装置。
【請求項１９】
印加される制御電圧（Ｖｉ）の値に応じて周波数帯域をフィルタリングするためのフィルタ手段（ＦＭ）と、前記フィルタ手段（ＦＭ）に対して制御電圧（Ｖｉ）を印加するための制御可能電源手段（ＰＳＭ）とを備える無線周波数帯域通過フィルタ（ＲＦＦ）を備える通信受信器（ＲＦＲ）であって、前記フィルタ手段（ＦＭ）及び前記電源手段（ＰＳＭ）に対して結合された請求項９乃至１９のいずれか一項に記載の較正装置（ＣＤ）を備えることを特徴とする通信受信器（ＲＦＲ）。
【請求項２０】
請求項１９に記載の通信受信器（ＲＦＲ）を備えることを特徴とする通信機器（ＵＥ）。
【発明の詳細な説明】
【技術分野】
【０００１】
本発明は、無線周波数（ＲＦ）信号フィルタリングの分野に関連し、より正確には、ＲＦ通信受信機器におけるＲＦ帯域通過フィルタの較正に関する。
【背景技術】
【０００２】
当業者には知られているように、ＲＦ通信受信器は、一般に、送信チャンネルに隣接する不必要なチャンネルに含まれる電力を抑制するためにＲＦフロントエンドフィルタを備えている。そのような抑制により、ＲＦ通信受信器は、チャンネル選択において不可欠な線形性要件を満たすことができるとともに、ＲＦ通信受信器が組み込まれる通信機器の電力消費量を減少させることができる。
【０００３】
一般的には５０ＭＨｚ乃至１ＧＨｚの大きな入力周波数範囲に対処しなければならないＲＦ通信機器、特に地上波機器において、フィルタは、所望の周波数に正確に調整される必要があるトラッキング帯域通過フィルタでなければならない。
【０００４】
殆どのチューナ装置は、ＲＦ信号（ＦＲＦ）を中間周波数（ＦＩＦ）へダウンコンバートするためのスーパーヘテロダインアーキテクチャと、ＦＲＦ−ＦＩＦをトラッキングするための局部発振器信号（ＦＬＯ）とを使用する。ＲＦフィルタは、ＦＩＦ＋ＦＬＯにおいてその最大値を有していなければならない。局部発振器は、一般に、ＰＬＬ（「フェーズロックドループ」）によって制御され且つ外部バラクタによって調整される電圧制御発振器（ＶＣＯ）である。ＲＦ周波数ＦＲＦをトラッキングするためには、ＲＦフィルタがＶＣＯと同じタイプのバラクタを有していなければならず、また、ＶＣＯバラクタに対して印加される電圧がＲＦフィルタバラクタに対して印加されなければならない。
【０００５】
ＲＦフィルタ及びＶＣＯにおいて同じバラクタを使用すると、周波数範囲全体にわたって非常に正確なトラッキングを行うことができる。しかし、ＶＣＯにおいて外部タンク回路が必要とされ、これは、内部バラクタを備える局部発振器の最近のアーキテクチャには適合しない。
【０００６】
また、最大ＲＦ周波数ＦＲＦよりも高い周波数へＲＦ信号をアップコンバートし、その後、それを精密外部部品を用いてソーフィルタ（saw-filter）処理してベースバンドでダウンコンバートすることが提案されてきた。これにより、フィルタリングが所定の周波数で行われるため、フィルタのトラッキングが回避される。しかし、これは、アップミキシング部において非常に大きい雑音指数（ＮＦ）／線形性性能をもたらし、比較的高価となる。
【０００７】
特許文献−米国特許出願公開第ＵＳ２００３／０１７６１７４号公報（特許文献１）では、異なる周波数を有する一連の試験信号をフィルタに対して供給するとともに、各試験信号に対応する出力電力をベースバンドで測定し、ＲＦミキシング後に、どの試験信号が最高出力電力をベースバンドで生成したのかを決定することも提案されている。この方法は、あまり正確ではなく、リアルタイムで決定を行うことができない。
【特許文献１】米国特許出願公開第ＵＳ２００３／０１７６１７４号公報
【発明の開示】
【発明が解決しようとする課題】
【０００８】
この発明の目的は、前述した欠点の少なくとも一部を克服することである。
【課題を解決するための手段】
【０００９】
この目的のために、本発明は、印加される制御電圧の値に応じて周波数帯域をフィルタリングするように構成されている無線周波数帯域通過フィルタのための較正方法において、選択された入力電力及び選択された周波数の試験信号を上記フィルタに対して供給する第１のステップと、値が第１の態様で変化する連続制御電圧を上記フィルタに対して印加するとともに、上記フィルタの出力における上記試験信号の対応する出力電力値を、当該出力電力値が増加して最大値に達しその後に減少し始める限りにおいて測定し、その後、最初の減少出力電力値及び対応する制御電圧を記憶する第２のステップと、値が上記第１の態様と反対の第２の態様で変化する連続制御電圧を上記フィルタに対して印加するとともに、対応する試験信号出力電力値を、当該出力電力値が増加して上記最大値に達しその後に最後の出力電力値まで減少し始める限りにおいて測定し、その後、記憶された制御電圧と上記最後の出力電力値に対応する最後に印加された制御電圧とから、上記試験信号の選択された周波数におけるフィルタ出力電力の上記最大値に対応する制御電圧を決定する第３のステップと、を備えることを特徴とする較正方法を提供する。
【００１０】
本発明に係る較正方法は、別個に又は組み合わせて、及び、特に、考慮される追加の特徴を含み得る。
【００１１】
即ち、上記第１の態様は、制御電圧値を連続して増加させることに対応し、上記第２の態様は、制御電圧値を連続的に減少させることに対応しているものとしてもよく、逆に、上記第１の態様は、制御電圧値を連続して減少させることに対応し、上記第２の態様は、制御電圧値を連続的に増加させることに対応しているものとしてもよい。
【００１２】
上記第２のステップの間に、出力電力変化を表す変数の符号の反転を検出することにより出力電力値の減少の始まりを決定し、その後、この符号反転に対応する最初の減少出力電力値及び対応する制御電圧値を記憶するものとするとよい。
【００１３】
また、上記第２のステップの間に、各測定後に、先の測定された出力電力値を現在の出力電力値から差し引くことにより上記変数を決定し、その減算結果がゼロよりも小さいとき（従って上記符号反転を示すとき）に、新たな電圧を印加することを停止し、その後、現在の測定された出力電力値及び対応する制御電圧を記憶するものとするとよい。
【００１４】
上記第３のステップの間に、最後に印加された対応する出力電力値が記憶された最初の減少出力電力値以下であるときに制御電圧の印加を停止するものとするとよい。
【００１５】
上記第３のステップの間に、（上記試験信号の選択された周波数におけるフィルタ出力電力の最大値に対応する）制御電圧が、記憶された制御電圧を最後に印加された制御電圧に対して加えるとともにこの加算結果を２で割ることにより決定されるものとするとよい。
【００１６】
上記第３のステップの間に、記憶された制御電圧から始めることにより、連続制御電圧を上記フィルタに対して印加するものとするとよい。
【００１７】
本発明はまた、印加される制御電圧の値に応じて周波数帯域をフィルタリングするためのフィルタ手段と、上記フィルタ手段に対して制御電圧を印加するための制御可能電源手段と、を備える無線周波数帯域通過フィルタのための較正装置も提供する。
【００１８】
上記較正装置は、
選択された入力電力及び選択された周波数の試験信号を上記フィルタ手段に対して供給するように構成されている発生器と、
上記フィルタ手段の出力における上記試験信号の出力電力値を測定するように構成されている測定手段と、
ａ）出力電力値が増加して最大値に達しその後に減少し始める限り、値が第１の態様で変化する連続制御電圧を上記フィルタ手段に対して印加するように上記電源手段に命令し、その後、
ｂ）最初の減少出力電力値及び対応する制御電圧を記憶し、その後、
ｃ）出力電力値が増加して最大値に達しその後に最後の出力電力値まで減少し始める限り、値が上記第１の態様と反対の第２の態様で変化する連続制御電圧を上記フィルタ手段に対して印加するように上記電源手段に命令し、その後、
ｄ）記憶された制御電圧と上記最後の出力電力値に対応する最後に印加された制御電圧とから、上記試験信号の選択された周波数におけるフィルタ出力電力の最大値に対応する制御電圧を決定する、
ように構成されている制御手段と、
を備えることを特徴とする。
【００１９】
本発明に係る較正装置は、別個に又は組み合わせて、及び、特に、考慮される追加の特徴を含み得る。
【００２０】
即ち、上記第１の態様は、制御電圧値を連続して増加させることに対応し、上記第２の態様は、制御電圧値を連続的に減少させることに対応しているものとしてもよく、逆に、上記第１の態様は、制御電圧値を連続して減少させることに対応し、上記第２の態様は、制御電圧値を連続的に増加させることに対応しているものとしてもよい。
【００２１】
その制御手段は、出力電力変化を表す変数の符号の反転を検出することにより出力電力値の減少の始まり（従って最初の減少出力電力値）を決定し、その後、この符号反転に対応する最初の減少出力電力値及び対応する制御電圧を記憶するように構成されているものとするとよい。
【００２２】
また、その制御手段は、（上記符号反転の検出の間に実行される）各測定後に、測定された先の出力電力値を測定された現在の出力電力値から差し引くことにより上記変数を決定し、その減算結果がゼロよりも小さいとき（従って上記符号反転を示すとき）に、新たな電圧の印加を停止するように上記電源手段に命令し、その後、現在の出力電力値及び対応する制御電圧を記憶するように構成されているものとするとよい。
【００２３】
その制御手段は、最後に印加された制御電圧に対応する最後に印加された出力電力値が記憶された最初の減少出力電力値以下であるときに上記フィルタ手段に対する制御電圧の印加を停止するように上記電源手段に命令することを決定するように構成されているものとするとよい。
【００２４】
その制御手段は、記憶された制御電圧を最後に印加された制御電圧に対して加えるとともにこの加算結果を２で割ることにより、（上記試験信号の選択された周波数におけるフィルタ出力電力の最大値に対応する）上記制御電圧を決定するように構成されているものとするとよい。
【００２５】
減少値の（最後の）検出のために、その制御手段は、記憶された制御電圧から始めることにより連続制御電圧を上記フィルタ手段に対して印加するように上記電源手段に命令するように構成されているものとするとよい。
【００２６】
その制御手段は、上記最初の減少出力電力値をアナログ形態で第１のアナログメモリに記憶するように構成されているものとするとよい。
【００２７】
その制御手段は、上記最初の減少出力電力値に対応する上記制御電圧をデジタル形態で第２のデジタルメモリに記憶するように構成されているものとするとよい。
【００２８】
本発明はまた、
ｉ）（印加される制御電圧の値に応じて）周波数帯域をフィルタリングするためのフィルタ手段と、上記フィルタ手段に対して制御電圧を印加するための制御可能電源手段とを備える無線周波数帯域通過フィルタと、
ｉｉ）上記フィルタ手段及び上記電源手段に対して結合された、以上に導入されたような較正装置と、
を備える通信受信器も提供する。
【００２９】
本発明はまた、以上に導入されたような通信受信器を備える通信機器も提供する。
【００３０】
本発明の他の特徴及び利点は、以下の詳細な説明及び添付図面を検討することによって明らかとなる。
【００３１】
添付図面は、本発明を完全にする役割を果たすだけでなく、必要であれば、本発明の定義付けに寄与する役割をも果たす。
【発明を実施するための最良の形態】
【００３２】
図１に示されるように、本発明は、ＲＦ通信機器ＵＥ内に組み込まれ得る無線周波数（ＲＦ）通信受信器ＲＦＲのために設けられた較正装置ＣＤを提供する。
【００３３】
以下の説明では、ＲＦ通信機器ＵＥが携帯電話、例えばＧＳＭ／ＧＰＲＳ又はＵＭＴＳ携帯電話であるものとする。しかし、本発明がこのタイプのＲＦ通信機器に限定されないことに留意することは重要である。
【００３４】
確かに、本発明は、任意のＲＦ通信機器、携帯電話（又は、それ以外）、及び、特に、無線通信を構築するようになっている通信モジュールを備える携帯端末（ＰＤＡ）又はラップトップコンピュータに適用されてもよく、あるいは、ラジオ（ＡＭ，ＦＭ）において、又は、セットトップボックス（ＳＴＢ）に接続されたテレビ（ＴＶ）チューナ又はＴＶセットにおいて適用されてもよい。
【００３５】
図１に示されるように、ＲＦ通信受信器ＲＦＲは、送信チャンネルに隣接する不必要なチャンネルに含まれる電力を抑制するために、アンテナＡＮのアクセスに接続されるＲＦフロントエンドフィルタＲＦＦによって給電されるＲＦフロントエンドモジュールＦＥＭを備えている。ＦＥＭは、所望の信号をベースバンドへダウンコンバートするとともに、一般に、低雑音増幅器（ＬＮＡ）と、可変利得増幅器（ＶＧＡ）と、ミキサとを備えており、処理チェーンにおけるこれらのそれぞれの位置が選択されたアーキテクチャと放送仕様とによって決まることが想定される。
【００３６】
また、送信チャンネルが、選択された狭い動作帯域周波数に属する無線周波数で遠隔通信送信器と受信器との間のデータ送信を可能にするチャンネルであることも想定される。
【００３７】
そのような抑制を行うために、フィルタＲＦＦは、その通信受信器ＲＦＲの動作帯域周波数の中心周波数付近で正確に較正される必要があるフィルタモジュールＦＭを備えている。フィルタＲＦＦの中心周波数は、そのフィルタモジュールＦＭの端子に印加される電圧によって決まる。
【００３８】
また、フィルタＲＦＦは、受信されたＲＦ信号をそれらがＲＦフロントエンドモジュールＦＥＭに到達する前に選択された動作帯域周波数でフィルタリングするためにフィルタモジュールに対して選択された制御電圧を印加するようになっている制御可能な電源モジュールＰＳＭも備えている。
【００３９】
例えば、制御可能電源モジュールＰＳＭは、間隔［Ｆ０，Ｆｎ］内に含まれる離散フィルタ動作周波数Ｆｉに関連付けられた離散電圧値Ｖｉ（Ｉ＝０からｎ）を規定するように構成されているバラクタを備えている。ここで、Ｆ０及びＦｎはそれぞれ最小及び最大フィルタ動作周波数である。即ち、制御可能電源モジュールＰＳＭによって印加される各電圧Ｖｉに対応しているのがフィルタモジュールＦＭの一つのフィルタリング周波数Ｆｉである。
【００４０】
バラクタの代わりに、制御可能電源モジュールＰＳＭは、スイッチドキャパシタの列を備えていてもよい。この場合、各電圧Ｖｉは容量値Ｃｉによって規定される。他の変形において、制御可能電源モジュールＰＳＭは、同調能力を拡張するためにスイッチと直列に取り付けられたバラクタの組み合わせからなるスイッチドバラクタの列を備えていてもよい。
【００４１】
フィルタＲＦＦは、例えば、フィリップス（ＰＨＩＬＩＰＳ（登録商標））のＵＨＦ−ＶＨＦ１３１６チューナに基づいていてもよい。
【００４２】
フィルタ動作周波数Ｆｉを正確に規定するためには、較正プロセスによって電圧Ｖｉが正確に選択されなければならない。
【００４３】
この較正プロセスは、図１に示され且つ以下で説明される較正装置ＣＤの一例によって実施され得る。
【００４４】
図示の較正装置ＣＤは、制御モジュールＣＭの制御下で選択された入力電力及び選択された周波数ＦＬＯの試験信号をフィルタモジュールＦＭに対して供給するように構成されている発生器ＧＭを備えている。また、較正装置は、試験信号の出力電力値ＰｏｕｔをフィルタモジュールＦＭの出力で測定するように構成されている電力測定モジュールＭＭも備えている。
【００４５】
制御モジュールＣＭは、ＲＦフィルタＲＦＦの制御可能電源モジュールＰＳＭに対して結合されており、フィルタモジュールＦＭに対して印加されるべき制御電圧Ｖｉを規定する命令を電源モジュールＰＳＭに対して供給する。
【００４６】
較正装置ＣＤの目的は、最高電力を伴う選択された周波数ＦＬＯを有する試験信号をフィルタモジュールＦＭが出力できるようにする制御電圧ＶＬＯを決定することである。
【００４７】
この目的のため、第１の主要ステップにおいて、制御モジュールＣＭは、選択された周波数ＦＬＯ（選択された入力電力）をフィルタモジュールに対して供給するように発生器ＧＭに命令する。
【００４８】
その後、第２の主要ステップにおいて、制御モジュールＣＭは、第１に、試験信号の出力電力値Ｐｏｕｔ（測定モジュールＭＭによって測定される）が増加して最大値に達しその後に減少し始める限り、その値が第１の態様で変化する連続制御電圧をフィルタモジュールＦＭに対して印加するように制御可能電源モジュールＰＳＭに命令し、第２に、（最初の）減少出力電力値ＰΦ１及び対応する制御電圧Ｖｕｐをそれぞれ第１のメモリＭ１及び第２のメモリＭ２内に記憶する。
【００４９】
この目的のため、制御モジュールＣＭは、例えば、出力電力値Ｐｏｕｔからの出力電力変化を表す変数Δの符号の反転を検出することにより、試験信号の出力電力値Ｐｏｕｔの減少の始まり（つまり、最初の減少出力電力値）を決定する。その後、制御モジュールは、この符号反転に対応する最初の減少出力電力値ＰΦ１及び対応する制御電圧値Ｖｕｐを記憶する。
【００５０】
その後、第３の主要ステップにおいて、制御モジュールＣＭは、第１に、先と同様、出力電力値が増加して最大値に達しその後に最終値まで減少し始める限り、その値が第１の態様と反対の第２の態様で変化する連続制御電圧をフィルタモジュールＦＭに対して印加するように制御可能電源モジュールＰＳＭに命令し、その後、第２に、記憶された制御電圧Ｖｕｐ及び最後の出力電力値に対応する最後に印加された制御電圧Ｖｄｏから、試験信号の選択された周波数ＦＬＯにおけるフィルタ出力電力の最大値に対応する制御電圧ＶＬＯを決定する。
【００５１】
例えば、最後に印加された制御電圧Ｖｄｏは、記憶された最初の減少出力電力値ＰΦ１以下の（最後の）出力電力値に対応する。
【００５２】
好ましくは、第１の態様（図２Ａにおける矢印Ｗ１）は、制御電圧値Ｖｉを連続して増加させることに対応し、また、第２の態様（図２Ｂにおける矢印Ｗ２）は、制御電圧値Ｖｉを連続して減少させることに対応している。しかし、これは強制的ではない。第１の態様が制御電圧値を連続的に減少させることに対応し、第２の態様が制御電圧値を連続的に増加させることに対応することも事実上可能である。
【００５３】
ここで、図２Ａ及び図２Ｂに示される線図の例及び図３に示されるアルゴリズムの例を参照して、較正装置ＣＤによって実施される較正方法について更に詳しく説明する。
【００５４】
以下では、信号反転の検出によって最初の減少出力電力値が決定される較正方法の実施例に焦点を合わせる。しかし、前述したように、本発明はこの実施に限定されない。最大値に達する出力電力値を検出した後、次に、減少し始める出力電力値を検出するため、第２の主要ステップの間に出力電力値Ｐｏｕｔを解析することも事実上可能である。
【００５５】
非限定的な図示の例では、第１の態様（Ｗ１）が制御電圧値Ｖｉを連続的に増加させることに対応し且つ第２の態様（Ｗ２）が制御電圧値Ｖｉを連続的に減少させることに対応すると考える。
【００５６】
第１の主要ステップは、ステップ１０の第１の部分のみを備えており、この部分では、制御モジュールＣＭは、フィルタＲＦＦに対して試験信号（ＦＬＯ）を供給するように発生器ＧＭに命令する。
【００５７】
第２の主要ステップは、ステップ１０の第２の部分から始まり、この部分では、制御モジュールＣＭは、フィルタモジュールＦＭに対して第１の制御電圧Ｖ０（ｉ＝０）を印加するように制御可能電源モジュールＰＳＭに命令する。
【００５８】
較正装置ＣＤはルックアップテーブルを備えていてもよく、このルックアップテーブル内には、関連するフィルタモジュールＦＭの各試験信号周波数ＦＬＯに従って印加されるべき第１の制御電圧値Ｖ０のそれぞれが記憶される。
【００５９】
ステップ２０では、測定モジュールＭＭが試験信号の出力電力Ｐ０（ｉ＝０）を測定するとともに、制御モジュールＣＭがこの出力電力値Ｐ０を第１のバッファ（図示せず）内に記憶する。この場合、この出力電力値はＰＳ１と呼ばれる。
【００６０】
ステップ３０において、制御モジュールＣＭは、先の制御電圧（Ｖ０）よりも高い第２の制御電圧Ｖｉ＋ｋをフィルタモジュールＦＭに対して印加するように制御可能電源モジュールＰＳＭに命令する。例えばｋ＝１（従って、第２の制御電圧がＶ１）であるが、これは強制的ではない。ｋは、事実上、その値が選択され得る（又は、プログラム可能であり得る）増分（インクリメント）である。
【００６１】
ステップ４０では、測定モジュールＭＭが試験信号の出力電力Ｐ１（例えば、ｉ＝１）を測定するとともに、制御モジュールＣＭがこの出力電力値Ｐ１を第２のバッファ（図示せず）内に記憶する。この場合、この出力電力値はＰＳ２と呼ばれる。
【００６２】
ステップ５０において、制御モジュールＣＭは、第１のバッファ内に記憶され且つＰ０に等しい（先の）出力電力値ＰＳ１を、第２のバッファ内に記憶され且つＰ１に等しい（現在の）出力電力値ＰＳ２から差し引く。
【００６３】
ステップ６０において、制御モジュールＣＭは、この減算の結果（変数Δ）がゼロよりも低い（ＰＳ２−ＰＳ１＜０）かどうかをチェックする。
【００６４】
ＰＳ２がＰＳ１よりも小さい場合には、制御モジュールＣＭがステップ８０へ移行する。
【００６５】
ＰＳ２がＰＳ１よりも大きい場合には、ステップ７０において、制御モジュールＣＭがＰＳ２を第１のバッファ内に記憶し、これにより、現在の値Ｐ１がＰＳ１としてＰ０に取って代わる。その後、制御モジュールＣＭがステップ３０へ移行し、それにより、制御可能電源モジュールＰＳＭは、先の制御電圧（Ｖ１）よりも高い新たな（第３の）制御電圧Ｖｉ＋ｋ（Ｖ２）を印加する。
【００６６】
図２Ａの線図において、周波数Ｆ１におけるフィルタ利得曲線Ｃ１と試験信号周波数ＦＬＯにおける垂直線との間の交点によって与えられる出力電力Ｐ１（ＰＳ２）は、周波数Ｆ０におけるフィルタ利得曲線Ｃ０との間の交点によって与えられる出力電力Ｐ０（ＰＳ１）よりも大きい。従って、制御モジュールＣＭがステップ３０へ移行し、それにより、制御可能電源モジュールＰＳＭは、先の制御電圧（Ｖ１）よりも高い第３の制御電圧Ｖｉ＋ｋ（Ｖ２）を印加する。制御モジュールＣＭは、ステップ３０からステップ５０を実行する。ステップ６０において、制御モジュールＣＭは、ＰＳ２（Ｐ２）がＰＳ１（Ｐ１）よりも大きいことを検出する。その後、ステップ７０において、制御モジュールがＰＳ２を第１のバッファ内に記憶し、それにより、現在の値Ｐ２がＰＳ１としてＰ１に取って代わる。周波数Ｆ２におけるフィルタ利得曲線Ｃ２と試験信号周波数ＦＬＯにおける垂直線との間の交点によって与えられる出力電力Ｐ２（ＰＳ２）は、事実上、出力電力Ｐ１（ＰＳ１）よりも大きい。
【００６７】
その後、制御モジュールＣＭがステップ３０へ移行し、それにより、制御可能電源モジュールＰＳＭは、先の制御電圧（Ｖ２）よりも高い新たな（第４の）制御電圧Ｖｉ＋ｋ（Ｖ３）を印加する。制御モジュールＣＭは、再びステップ３０からステップ５０を実行する。ステップ６０において、制御モジュールＣＭは、ＰＳ２（Ｐ３）がＰＳ１（Ｐ２）よりも大きいことを検出する。その後、ステップ７０において、制御モジュールがＰＳ２を第１のバッファ内に記憶し、それにより、現在の値Ｐ３がＰＳ１としてＰ２に取って代わる。周波数Ｆ３におけるフィルタ利得曲線Ｃ３と試験信号周波数ＦＬＯにおける垂直線との間の交点によって与えられる出力電力Ｐ３（ＰＳ２）は、事実上、出力電力Ｐ２（ＰＳ１）よりも大きい。
【００６８】
その後、制御モジュールＣＭはステップ３０へ戻り、それにより、制御可能電源モジュールＰＳＭは、先の制御電圧（Ｖ３）よりも高い新たな（第５の）制御電圧Ｖｉ＋ｋ（Ｖ４）（周波数Ｆ４における利得曲線Ｃ４に対応する）を印加する。制御モジュールＣＭは、再びステップ３０からステップ５０を実行する。ステップ６０において、制御モジュールＣＭは、このときにＰＳ２（Ｐ４）がＰＳ１（Ｐ３）よりも小さいことを検出する。
【００６９】
減算結果（Δ＝ＰＳ２−ＰＳ１）の符号は、これまではプラスであったが、ここではマイナスである。それは、符号反転が起こったこと、従って、試験信号周波数ＦＬＯに対応する制御電圧の最適値ＶＬＯと交差した（あるいは、通過した）ことを意味している。そのため、制御モジュールＣＭは、制御電圧のこの最適値ＶＬＯを見出すために戻らなければならない。
【００７０】
制御モジュールＣＭは、戻る前に、ステップ８０において、ＰＳ２を第１のメモリＭ１内に記憶する（このとき、それはＰΦ１と名付けられる）とともに、対応する制御電圧Ｖ４（ｉ＝４）を第２のメモリＭ２内に記憶する（このとき、それはＶｕｐと名付けられる）。
【００７１】
好ましくは、第１のメモリＭ１は、出力電力ＰΦ１をアナログ形態で記憶するように構成されており、一方、メモリＭ２は、対応する制御電圧Ｖｕｐをデジタル形態で記憶するように構成されている。
【００７２】
ステップ８０は、第２の主要ステップを終了させる。
【００７３】
第３の主要ステップはステップ９０から始まり、このステップ９０において、制御モジュールＣＭは、好ましくは先の制御電圧（Ｖ４）よりも小さい新たな（第６の）制御電圧Ｖｉ−ｍをフィルタモジュールＦＭに対して印加するように制御可能電源モジュールＰＳＭに命令する。例えば、ｍ＝１（従って、新たな（第６の）制御電圧はＶ３）であるが、これは強制的ではない。ｍは、事実上、その値が較正精度に応じて選択され得る減少分（デクリメント）である。また、ｍは、必ずしもｋに等しいとは限らない。
【００７４】
前述したように、第２の主要ステップで誘導された符号反転を有する最後の制御電圧（Ｖ４）から第３の主要ステップを始めることが好ましい。これは、より大きい制御電圧がより小さい出力電力をもたらすからである。また、第２の主要ステップの最後の制御電圧（Ｖ４）を再び印加する必要はない。これは、対応する出力電力が一定となるはずだからである。
【００７５】
ステップ１００では、測定モジュールＭＭが、試験信号の出力電力Ｐ３（例えば、ｉ＝３）を測定するとともに、制御モジュールＣＭが、この出力電力値Ｐ３を第２のバッファ内に記憶する。この場合、この出力電力値はＰＳ２と名付けられる。
【００７６】
ステップ１１０において、制御モジュールＣＭは、第１のメモリＭ１内に記憶され且つこの例ではＰ４に等しい出力電力値ＰΦ１を、第２のバッファ内に記憶され且つこの例ではＰ３に等しい（現在の）出力電力値ＰＳ２から差し引く。
【００７７】
ステップ１２０において、制御モジュールＣＭは、この減算の結果がゼロ以下（ＰＳ２−ＰΦ１≦０）かどうかをチェックする。
【００７８】
ＰＳ２がＰΦ１以下の場合には、制御モジュールＣＭは、ステップ１３０へ移行する。
【００７９】
ＰＳ２がＰＳ１よりも大きい場合には、制御モジュールＣＭはステップ９０へ戻り、それにより、制御可能電源モジュールＰＳＭは、先の制御電圧（Ｖ３）よりも低い新たな制御電圧Ｖｉ−ｍ（Ｖ２）を印加する。
【００８０】
図２Ｂの線図において、周波数Ｆ３におけるフィルタ利得曲線Ｃ３と試験信号周波数ＦＬＯにおける垂直線との間の交点によって与えられる出力電力Ｐ３（ＰＳ２）は、記憶された（第１の）出力電力ＰΦ１（この例では、Ｖ４に等しい）よりも大きい。従って、制御モジュールＣＭがステップ９０へ移行し、それにより、制御可能電源モジュールＰＳＭは、先の制御電圧（Ｖ３）よりも低い第７の制御電圧Ｖｉ−ｍ（Ｖ２）を印加する。制御モジュールＣＭは、ステップ１００からステップ１１０を実行する。ステップ１２０において、制御モジュールＣＭは、このときＰＳ２（Ｐ２）がＰΦ１（Ｐ４）以下であることを検出し、その後、ステップ１３０において、ＰＳ２に対応するＶ２を第３のバッファ内に記憶する。この場合、その制御電圧はＶｄｏと呼ばれる。
【００８１】
減算結果（ＰＳ２−ＰΦ１）の符号は、これまではプラスであったが、ここではマイナス（又はゼロ）である。それは、試験信号周波数ＦＬＯに対応する制御電圧ＶＬＯの最適値と再び交差した（あるいは、通過した）ことを意味している。
【００８２】
このとき、制御モジュールＣＭは、最適値ＶＬＯよりも小さい及び大きい第１の制御電圧値Ｖｄｏ及び第２の制御電圧値Ｖｕｐをそれぞれ自由に有する場合、この最適値ＶＬＯを決定することができる。
【００８３】
そのため、ステップ１４０において、制御モジュールＣＭは、例えば、第２のメモリＭ２内に記憶される制御電圧Ｖｕｐを第３のバッファ内に記憶される最後に印加された制御電圧Ｖｄｏに対して加えることにより、また、その後、この加算結果を２で割ることにより、最適値ＶＬＯを決定する。即ち、制御モジュールＣＭは、例えばＶＬＯ≒（Ｖｕｐ＋Ｖｄｏ）／２を計算する。
【００８４】
一変形例として、制御可能電源モジュールＰＳＭによってフィルタモジュールＦＭに対して印加され得る総ての制御値をルックアップテーブル内に記憶して、ＶｕｐとＶｄｏとの間で見出される制御電圧値ＶＬＯを決定することもできる。
【００８５】
他の変形例として、二つの連続する制御電圧Ｖｉ間のステップを減少させることにより、また、各出力電力値Ｐｏｕｔを解析して最大値に達する出力電力値及び減少し始める次の出力電力値を検出することにより、第３の主要ステップの間に最大値ＶＬＯを非常に正確に決定することもできる。
【００８６】
ステップ１４０は、本発明に係る較正方法の第３の主要ステップを終了させる。
【００８７】
その後、最適な制御電圧値ＶＬＯを制御可能電源モジュールＰＳＭによってフィルタモジュールＦＭに対して印加して、ＶＬＯに対応する選択された周波数ＦＬＯをほぼ有する受信されたＲＦ信号をフィルタリングすることができる。
【００８８】
較正装置ＣＤは、ＣＭＯＳ技術において、又は、チップ製造で使用される任意の技術において実現されるプログラム可能な集積回路であってもよい。
【００８９】
最適な制御電圧値ＶＬＯの精度を高めるため、ＰＬＬ（「フェーズロックドループ」）による位相検出に基づいて更なるステップを実施することができる。
【００９０】
例えば、選択された位相を有する入力信号Ｓ１をフィルタモジュールＦＭに対して供給し、また、フィルタモジュールＦＭの出力で信号Ｓ２を決定する。その後、信号Ｓ１，Ｓ２は、信号Ｓａ１，Ｓａ２のそれぞれになるように個別に増幅され、これらの信号Ｓａ１，Ｓａ２は、その後、Ｓａ１とＳａ２との間の位相シフトの符号に応じてバリキャップに対して印加される電圧を制御する（増加する又は減少する）ために設けられた位相検出器に対して供給される。この位相シフトは、前述したような順方向／逆方向機構によって制御されてもよいが、バリキャップの電圧に対して印加されてもよい。
【００９１】
本発明は、単なる一例として前述した較正装置、通信受信器、通信機器、及び、較正方法の実施の形態に限定されず、以下の請求項の範囲内に含まれると当業者によってみなされる総ての他の実施の形態を包含する。
【図面の簡単な説明】
【００９２】
【図１】本発明に係る較正装置を備える通信受信器が設けられた通信機器を概略的に示している。
【図２Ａ】本発明に係る較正方法の第２のステップを表す線図を概略的に示している。
【図２Ｂ】本発明に係る較正方法の第３のステップを表す線図を概略的に示している。
【図３】本発明に係る較正方法の一例を規定するアルゴリズムを示している。
【図１】
2009514297.tif 000003
【図２Ａ】
2009514297.tif 000004
【図２Ｂ】
2009514297.tif 000005
【図３】
2009514297.tif 000006
【国際調査報告】
2009514297.tif 000007
2009514297.tif 000008